(57)【要約】【課題】  動画コンテンツの種類に応じて再生に関わる各種設定を変更し、消費電力を低減する携帯情報端末を提供する。【解決手段】  携帯情報端末は、ユーザ操作に応じてテレビを起動し、選局されたテレビ番組の動画コンテンツとＥＰＧデータを受信する。省電力モードがＯＮである場合に、ＥＰＧデータに基づいて番組の種類を判別し、予め設定された番組の種類毎のフレームレート等に基づき、現在のフレームレート等を判別した番組の種類に対応するフレームレート等に設定し、設定したフレームレート等で受信した番組を再生する。【選択図】  図３
2006287898.tif 000002
【特許請求の範囲】
【請求項１】
動画コンテンツを再生する携帯情報端末であって、
前記動画コンテンツの種類を判別する種類判別手段と、
前記種類判別手段により判別された種類に応じて、再生に係る消費電力が異なる複数の処理態様の一つを選択し、選択した処理態様で前記動画コンテンツを再生する再生手段と
を備えることを特徴とする携帯情報端末。
【請求項２】
前記再生手段は、動画コンテンツを表示する表示部を備えており、
前記複数の処理態様は、動画コンテンツを前記表示部に表示するためのフレームレートが各々異なるものであること
を特徴とする請求項１記載の携帯情報端末。
【請求項３】
前記再生手段は、バックライトを備えており、
前記複数の処理態様は、前記バックライトの輝度が各々異なるものであること
を特徴とする請求項１記載の携帯情報端末。
【請求項４】
前記再生手段は、更に、
前記動画コンテンツの音声を出力する音声出力部を備え、
前記複数の処理態様は、前記動画コンテンツの音声を出力する音量が各々異なるものを含み、
前記種類判別手段により判別された種類に応じて前記フレームレートと前記音量の各々一つを選択し、選択したフレームレートと音量で前記動画コンテンツを再生すること
を特徴とする請求項２記載の携帯情報端末。
【請求項５】
前記再生手段は、更に、
前記動画コンテンツの音声を出力する音声出力部を備え、
前記複数の処理態様は、前記動画コンテンツの音声を出力する音量が各々異なるものを含み、
前記種類判別手段により判別された種類に応じて前記輝度と前記音量の各々一つを選択し、選択した輝度と音量で前記動画コンテンツを再生すること
を特徴とする請求項３記載の携帯情報端末。
【請求項６】
前記動画コンテンツは、デジタル放送データで構成された番組であり、
前記携帯情報端末は、更に、電子番組表を取得し、
前記種類判別手段は、前記電子番組表に基づいて、前記デジタル放送データで構成された番組の種類を判別すること
を特徴とする請求項１記載の携帯情報端末。
【請求項７】
前記動画コンテンツは、ステレオ及びモノラルの音声データを含み、前記番組コンテンツの種類には、前記動画コンテンツにおけるステレオの音声データの部分と、モノラルの音声データの部分があり、
前記種類判別手段は、前記動画コンテンツにおけるモノラルの音声データ部分とステレオ音声データ部分を判別すること
を特徴とする請求項１記載の携帯情報端末。
【請求項８】
前記携帯情報端末は、更に、自機内部に電池を有しており、当該電池の残量が閾値以下であるか否かを判定する電池残量判定手段を備え、
前記再生手段は、前記電池残量判定手段により閾値以下であると判定された場合に限り、前記種類判別手段により判別された種類に応じて前記複数の処理態様の一つを選択し、選択した処理態様で前記動画コンテンツを再生すること
を特徴とする請求項１記載の携帯情報端末。
【請求項９】
動画コンテンツを再生可能であり、プログラムを実行可能な装置に制御処理を実行させるための制御プログラムであって、
前記制御処理は、
動画コンテンツの種類を判別する種類判別ステップと、
前記種類判別ステップにより判別された種類に応じて、再生に係る消費電力が異なる前記複数の処理態様の一つを選択し、選択した処理態様で前記装置に前記動画コンテンツを再生させる再生ステップとを含む
ことを特徴とする制御プログラム。
【発明の詳細な説明】
【技術分野】
【０００１】
本発明は、携帯情報端末に関し、特に、動画コンテンツを再生する携帯情報端末に関する。
【背景技術】
【０００２】
近年、携帯電話機等の携帯情報端末は、テレビ放送受信機能が搭載されているものが流通しており、受信したテレビ番組の動画像を携帯電話機等の画面に表示し、番組の音声を出力することにより番組を再生することができる。
携帯電話機等でテレビ番組を再生する際には、携帯電話機等の内部電池から電力が供給されており、例えば、テレビ番組の動画像を表示する際、1秒間に何回画面を書き換えるかを表すフレームレートに関して言えば、フレームレートの値が高いものほどテレビ番組等の動画像をよりなめらかで綺麗に見せることができるが、1秒間に扱うデータの量が多くなるため消費電力は大きくなる。
【０００３】
従来の携帯電話機等の画像品質は予め決められ、単一のフレームレートで動画像を表示しており、画像品質より消費電力を低減させることを考慮して、画像を表示する際のフレームレートをユーザが任意に変更することができる携帯端末装置が特許文献１に開示されている。
【特許文献１】特開２００２−２７１６７１号公報
【発明の開示】
【発明が解決しようとする課題】
【０００４】
特許文献１の携帯端末装置によれば、ユーザによるフレームレートの変更操作により、電力消費を抑えて視聴時間を伸ばすことができる。
しかしながら、ユーザは、動画像を表示する際に、フレームレートを変更するか否か判断してフレームレートを調節しなければならず、ユーザにとって煩わしい作業となっている。
【０００５】
本発明は、上記問題に鑑みてなされたものであり、ユーザに操作負担を強いることなく、フレームレート等の再生に関わる各種設定を消費電力が低減する様に適時変更する携帯情報端末を提供することを目的とする。
【課題を解決するための手段】
【０００６】
上記課題を解決するために、本発明に係る携帯情報端末は、動画コンテンツを再生する携帯情報端末であって、前記動画コンテンツの種類を判別する種類判別手段と、前記種類判別手段により判別された種類に応じて、再生に係る消費電力が異なる複数の処理態様の一つを選択し、選択した処理態様で前記動画コンテンツを再生する再生手段とを備えることを特徴とする。
【発明の効果】
【０００７】
上述の構成によれば、動画コンテンツの再生に際し、動画コンテンツの種類に応じた処理態様で動画コンテンツを再生することができるので、例えば、表示等の各種設定を、通常の再生時より消費電力が低減するように、ユーザの好みに応じて番組のジャンル毎に予め設定しておくことにより、ユーザが番組を視聴中に各種設定の調節を行なうことなく再生時の消費電力を低減させることができる。
【０００８】
また、前記再生手段は、動画コンテンツを表示する表示部を備えており、前記複数の処理態様は、動画コンテンツを前記表示部に表示するためのフレームレートが各々異なるものであることとしてもよい。
この構成によれば、再生手段により、種類判別手段が判別した動画コンテンツの種類に応じて、当該動画コンテンツを表示する際のフレームレートを変えるので、ユーザは、電池の消費電力を低減するために、動画コンテンツを表示する度にフレームレートを変更する操作を行なわなくてもよい。従って、例えば、動画コンテンツに動きが少なく、画像品質を重視しない動画コンテンツについては、低いフレームレートに設定することにより、ユーザがフレームレートを変更する手間を省き、携帯情報端末の消費電力も低減することができる。
【０００９】
尚、前記処理態様がフレームレートの場合において前記選択した処理態様で動画コンテンツを再生するとは、動画コンテンツの種類に対応するフレームレートを、動画コンテンツを表示する際の１秒当たりのフレーム数とし、当該フレームレートで動画コンテンツを表示させることである。
また、前記再生手段は、バックライトを備えており、前記複数の処理態様は、前記バックライトの輝度が各々異なるものであることとしてもよい。
【００１０】
この構成によれば、再生手段により、種類判別手段が判別した動画コンテンツの種類に応じて、当該動画コンテンツを表示する際のバックライトの輝度を変えることができるので、例えば画像品質を重視しない動画コンテンツについては予め輝度を低く設定しておくことにより、ユーザが当該動画コンテンツの視聴時に輝度調節を行わなくても、バックライトの消費電力を低減させることができる。
【００１１】
また、前記再生手段は、更に、前記動画コンテンツの音声を出力する音声出力部を備え、前記複数の処理態様は、前記動画コンテンツの音声を出力する音量が各々異なるものを含み、前記種類判別手段により判別された種類に応じて前記フレームレートと前記音量の各々一つを選択し、選択したフレームレートと音量で前記動画コンテンツを再生することとしてもよい。
【００１２】
また、前記再生手段は、更に、前記動画コンテンツの音声を出力する音声出力部を備え、前記複数の処理態様は、前記動画コンテンツの音声を出力する音量が各々異なるものを含み、前記種類判別手段により判別された種類に応じて前記輝度と前記音量の各々一つを選択し、選択した輝度と音量で前記動画コンテンツを再生することとしてもよい。
この構成によれば、再生手段は、種類判別手段が判別した動画コンテンツの種類に応じて、動画コンテンツを表示する際のフレームレート又はバックライトの輝度に加えて、当該動画コンテンツの音声の音量を変えることができるので、例えば、天気予報等、音声を重視せず動画像だけで内容を把握できる動画コンテンツについては音量を小さく設定することにより、ユーザがその都度音量調節を行わなくても、再生時の消費電力を低減させることができる。
【００１３】
また、前記動画コンテンツは、デジタル放送データで構成された番組であり、  前記携帯情報端末は、更に、電子番組表を取得し、前記種類判別手段は、前記電子番組表に基づいて、前記デジタル放送データで構成された番組の種類を判別することとしてもよい。尚、番組の種類とは、いわゆる番組のジャンルを示しており、例えば、ニュースやドラマ等である。
【００１４】
この構成によれば、デジタル放送の番組データと電子番組表を取得するので、電子番組表に番組のジャンルが含まれている場合には、電子番組表を基に番組のジャンルを判別することができる。従って、例えば、画像品質を重視しないニュース等のフレームレートを、予め画像品質を重視するドラマ等より低く設定しておくことにより、表示される番組が画像品質を重視する番組か否かをユーザが意識することなく、画像品質を重視しない番組を低いフレームレートで表示することができ、消費電力も低減することができる。
【００１５】
また、前記動画コンテンツは、ステレオ及びモノラルの音声データを含み、前記番組コンテンツの種類には、前記動画コンテンツにおけるステレオの音声データの部分と、モノラルの音声データの部分があり、前記種類判別手段は、前記動画コンテンツにおけるモノラルの音声データ部分とステレオ音声データ部分を判別することとしてもよい。
この構成によれば、種類判別手段によって、ステレオの音声部分とモノラルの音声部分の動画コンテンツを判別することができる。例えば、多くのモノラル音声の部分にＣＭが含まれている放送で、モノラル音声の部分の画像を表示する際に、ステレオ音声の部分のフレームレートより低いフレームレートで表示することも可能であり、一般的にＣＭは通常の番組と比べて画像品質を重視しないユーザが多いという前提において有効である。
【００１６】
また、前記携帯情報端末は、更に、自機内部に電池を有しており、当該電池の残量が閾値以下であるか否かを判定する電池残量判定手段を備え、前記再生手段は、前記電池残量判定手段により閾値以下であると判定された場合に限り、前記種類判別手段により判別された種類に応じて前記複数の処理態様の一つを選択し、選択した処理態様で前記動画コンテンツを再生することとしてもよい。
【００１７】
この構成によれば、携帯情報端末の電池残量が閾値以下であるか否かを判定することができるので、電池残量が一定の閾値以下になった場合に限り、動画の内容に応じて再生に係る処理態様を変えて再生することができる。従って、例えば、処理態様がフレームレートである場合、既定のフレームレートが高く設定されている携帯情報端末であれば、ユーザは電池残量が閾値以下になるまで高画質の画像を見ることができる。
【発明を実施するための最良の形態】
【００１８】
＜実施例１＞
以下、本発明の実施例１に係る携帯電話機について説明する。
図７は、本発明に係る携帯電話機を示す図である。
同図において、携帯電話機１０は、ディスプレイ１１、テンキー等の操作ボタン部１２を備え、筐体内部に電池、デジタル放送受信用チューナ、アンテナが内蔵されており、デジタル放送を受信して放送番組の画像をディスプレイ１１に表示する際に、受信した放送番組の種類に応じてフレームレートを変更し、当該放送番組の動画像を変更されたフレームレートでディスプレイ１１に表示する。
【００１９】
＜構成＞
図１は、本実施に係る携帯電話機１０の機能構成図である。
携帯電話機１０は、アンテナ１１０、放送受信部１００、制御部２００、表示部３００、及び操作部４００から構成される。
アンテナ１１０は、ユーザによる操作に応じてテレビ放送局から放送信号を受信する機能を有する。
【００２０】
放送受信部１００は、アンテナ１１０を介してデジタル放送を受信し、受信した放送信号からユーザが選局した放送データを取り出し、復調して誤り訂正を行ない、ＭＰＥＧ２の動画像データと音声データに分離する機能を有する。尚、放送信号には、動画データ及びＥＰＧデータが含まれている。
制御部２００は、プロセッサ及びメモリ(ＲＯＭ及びＲＡＭ)で実現され、携帯電話機１０の各部を制御する機能を有し、表示制御部２１０及び種類判別部２２０を含んで構成される。
【００２１】
表示制御部２１０は、フレームレート変換部２１１を含んで構成され、放送受信部１００によって取得されたＭＰＥＧ２の動画データを復号し、メモリに格納されているフレームレートで動画データを表示部３００に出力する機能を有する。ここで、フレームレートは、１秒間に表示するフレーム数を示しており、３０ｆｐｓは１秒間に３０フレームを出力する。
【００２２】
例えば、フレームレートが３０ｆｐｓの動画データを１５ｆｐｓで表示する場合、３０フレームから連続する２フレーム毎に１フレームを選択し、選択したフレームの動画データを表示部３００に出力する。
また、フレームレート変換部２１１は、メモリ上のフレームレートを種類判別部２２０の判別結果及び後述するフレームレートテーブルに基づいて変更する機能を有する。
【００２３】
種類判別部２２０は、放送受信部１００によって受信されたＥＰＧ（Electro-nic Program Guide）データから、動画コンテンツがどのジャンルに属するか判別する機能を有する。
表示部３００は、液晶ディスプレイ等で実現され、表示制御部２１０からの制御信号に応じて動画像を表示する機能を有する。
【００２４】
操作部４００は、操作ボタン部１２のうちユーザによって押下されたボタンに対応する信号を制御部２００に送出する機能を有する。
＜データ＞
図２は、本実施に係る携帯電話機１０のメモリに記憶されているテーブルデータを示す図である。
【００２５】
同図(ａ)は、携帯電話機１０における機能設定テーブルの構成と内容例を示している。
機能設定テーブル２０は、機能２１及び状態２２を対応付けており、機能２１は、携帯電話機１０が実行可能な機能を表している。また、状態２２は、各機能を実行するか否かの状態を表しており、ユーザによって予め設定される。
携帯電話機１０は、省電力モードがＯＮの状態に設定されている場合、動画像を表示する際にフレームレート変更処理を行なう。
【００２６】
同図(ｂ)は、実施例１の携帯電話機１０におけるフレームレートテーブルの構成と内容例を示している。
同図において、フレームレートテーブル３０は、種類３１とフレームレート３２とを対応付けて予めメモリ等に記憶し、携帯電話機１０が受信した放送番組の種類別にフレームレートが設定されている。
【００２７】
尚、本実施におけるフレームレートは、番組の種類がニュース等の動きが少なく、画像品質を重視しないものはフレームレートを低く設定し、ドラマ等の画像品質を重視するものについては携帯電話機１０における最大フレームレートを設定する。
フレームレートテーブル３０は、上述の機能設定テーブル２０における省電力モードがＯＮである場合に、フレームレート変換部２１１によって読み出される。
＜動作＞  
以下、本実施に係る携帯電話機１０の動作について説明する。
【００２８】
図３は、携帯電話機１０のフレームレート変更処理の動作フロー図である。
尚、当該携帯電話機１０の最大フレームレートは３０ｆｐｓであり、デフォルトのフレームレートとして説明する。
同図において、ユーザによる操作ボタン部１２の操作により、制御部２００はテレビ機能を起動し(ステップＳ１１)、放送受信部１００は選局された放送局からアンテナ１１０を介して放送信号を受信する。
【００２９】
続いて放送受信部１００は、受信した放送信号を復調して動画データ及びＥＰＧデータを取得して、動画データを表示制御部２１０へ送出し、ＥＰＧデータを種類判別部２２０へ送出する(ステップＳ１２)。
ステップＳ１２においてＥＰＧデータを受取った種類判別部２２０は、メモリ内の機能設定テーブル２０を読み出し、省電力モードがＯＮの状態であるか否かを判断する(ステップＳ１３)。
【００３０】
ステップＳ１３において種類判別部２２０は、ＯＮであると判断すると(ステップＳ１３:Ｙ)、ＥＰＧデータに基づいて番組のジャンルを判別し、その判別結果をフレームレート変換部２１１に送出する(ステップＳ１４)。
ステップＳ１５において、フレームレート変換部２２１が、判定結果及びフレームレートテーブル３０に基づき、判定結果で示されたジャンルの番組が最大フレームレートで表示する番組であると判断した場合(ステップＳ１５:Ｙ)、フレームレート変換部２１１は、メモリに格納されているフレームレートを３０ｆｐｓに変更する(ステップＳ１５)。その後、表示制御部２１０は、メモリ内のフレームレートを参照し、復号した動画データを３０ｆｐｓで表示部３００に出力する。
【００３１】
また、ステップＳ１３において、省電力モードがＯＮ状態でないと種類判別部２２０が判断した場合、種類判別部２２０はその旨の信号をフレームレート変換部２１１に送出し、フレームレート変換部２１１はステップＳ１６の処理を行なう。
また、ステップＳ１５において、フレームレート変換部２２１が、最大フレームレートで表示する番組でないと判断した場合(ステップＳ１５:Ｎ)、フレームレート変換部２１１は、メモリ内のフレームレートを１５ｆｐｓに変更する(ステップＳ１７)。その後、表示制御部２１０は、メモリ内のフレームレートを参照し、復号した動画データを１５ｆｐｓで表示部３００に出力する。
＜動作例＞  
以下、上述した動作フローに基づいて本発明に係る携帯電話機１０の動作例を説明する。
【００３２】
尚、携帯電話機１０のフレームレートは３０ｆｐｓに設定されているものとし、ユーザはある放送局のニュース番組を選択して視聴するものとして説明する。
放送受信部１００は、ユーザの操作ボタン部１２の操作により放送信号を受信し(ステップＳ１１)、選局した放送局のニュース番組を示す放送データを取り出して復調し、動画データ及びＥＰＧデータを取得し、これらのデータを表示制御部２１０及び種類判別部２２０へ送出する(ステップＳ１２)。
【００３３】
続いて、種類判別部２２０は、機能設定テーブル２０を読み出し、省電力モードがＯＮ状態であると判断すると、ＥＰＧデータに基づいて動画データで構成された番組のジャンルがニュース番組であると判別する。また、種類判別部２２０は当該番組のジャンルがニュース番組であることを示す判別結果をフレームレート変換部２２１へ送出する(ステップＳ１３:Ｙ、ステップＳ１４)。
【００３４】
フレームレート変換部２２１は、判別結果を受取るとメモリからフレームレートテーブル３０を読み出して、メモリ上のフレームレートを３０ｆｐｓから１５ｆｐｓに変更し(ステップＳ１７)、表示制御部２１０は、１５ｆｐｓでニュース番組の動画データを表示部３００に出力する。
＜実施例２＞  
上述の実施例１では、携帯電話機１０の機能設定テーブルにおける省電力モードの状態に応じてフレームレート変更処理を行なったが、本実施例では、携帯電話機１０内部の電池残量の状態に応じてフレームレート変更処理を行なう。
＜構成＞
以下、本実施例に係る携帯電話機について説明する。
【００３５】
図１(ｂ)は、本実施に係る携帯電話機の機能構成図であり、実施例１と異なる部分の構成について説明する。
尚、本実施に係る携帯電話機は、実施例１と同様の携帯電話機１０を用いることとし、図１(ｂ)の構成のうち、実施例１と同じ構成部分については同じ符号を付している。
電池残量判定部２３０は、携帯電話機１０内の電池残量を検出し、検出した電池残量が予め定めた閾値以下であるか否かを判定する機能を有する。電池残量の閾値は、ＲＯＭ等のメモリに格納されており、例えば、最大電池量の５０％を閾値として設定する。
【００３６】
種類判別部２２０は、電池残量判定部２３０から電池残量が閾値以下であることを示す信号を受け付け、受信した動画データで構成される番組のジャンルをＥＰＧデータに基づいて判別する。
＜動作＞
以下、本実施に係る携帯電話機１０の動作について説明する。
【００３７】
図４は、本実施に係る携帯電話機１０のフレームレート変更処理の動作フロー図である。
実施例１と同様、放送受信部１００は、ユーザによる選局操作によりテレビ機能を起動して放送信号を受信し(ステップＳ２１)、動画データ及びＥＰＧデータを取得する(ステップＳ２２)。
【００３８】
電池残量判定部２３０は、電池残量を検出してＲＯＭ等のメモリから閾値を読み出し、検出した電池残量が閾値以下であるか否かを判定する(ステップＳ２３)。
電池残量判定部２３０が、電池残量が閾値以下であると判定し(ステップＳ２３:Ｙ)、省電力モードがＯＮである場合(ステップＳ２４:Ｙ)、その旨を示す信号を種類判別部２２０へ送出し、種類判別部２２０は実施例１と同様に動画データで構成される番組のジャンルをＥＰＧデータから判別する(ステップＳ２５)。
【００３９】
また、ステップＳ２３において、電池残量判定部２３０が、電池残量が閾値以下でないと判定した場合(ステップＳ２３:Ｎ)、表示制御部２１０は既定のフレームレート値３０ｆｐｓで動画データを表示部３００に出力する。
ステップＳ２５以下の処理は、実施例１と同様であるので説明を省略する。
＜実施例３＞
上述の実施例１及び実施例２は、番組のジャンルに応じてフレームレートを変更するものとして説明したが、フレームレートの変更に限らず、番組のジャンルに応じてバックライトの輝度及びスピーカの音量を変更してもよい。
【００４０】
以下、この場合について説明する。
尚、本実施例における携帯情報端末は、上述した携帯電話機１０と同様であり、上記実施例と異なる部分について説明するものとする。
＜構成＞
図５は、本実施例における携帯電話機１０の機能構成図を示している。
【００４１】
携帯電話機１０は、実施例２の構成に加えて、バックライト３１０とスピーカ５００を備え、制御部２０１０は、音声出力制御部２４０を含み、表示制御部２１００は、輝度レベル変更部２１２を含んでいる。
ここで、バックライト３１０は、後述する輝度レベル変更部２１２の指示に応じて、液晶ディスプレイで実現される表示部３００を照射する機能を有する。
【００４２】
スピーカ５００は、放送受信部１００により受信された音声を、後述する音声出力制御部２４０により設定された音量で出力する機能を有する。
また、輝度レベル変更部２１２は、予め番組種類毎に設定された輝度レベルに基づき、種類判別部２２０によって判別された番組種類に対応する輝度レベルでバックライトを光らせる機能を有する。
【００４３】
音声出力制御部２４０は、放送受信部１００により受信された音声データをＤ／Ａ変換し、予め音声データの種別毎に設定された音量レベルに基づき、種類判別部２２１によって判別された番組種類に対応する音量レベルで、スピーカ５００に音声を出力させる機能を有する。
＜データ＞
以下、上述の実施例1、２で示したテーブルデータに加えて、本実施例において携帯電話機１０のメモリ等に記憶されているテーブルデータについて説明する。
【００４４】
図２(ｃ)は、輝度レベルテーブル４０の構成及び内容例を示している。
輝度レベルテーブル４０は、種類４１及び輝度レベル４２とを対応付けて記憶しており、種類４１は、上述の実施例と同様に放送番組の種類を示しており、輝度レベル４２は、バックライト３１０の輝度のレベルを示している。
ここで、本実施例において輝度レベルは５〜１まで設定することができ、レベルの数値が大きい順に輝度が高いものとし、本実施例ではニュースや天気予報の輝度は、映画やドラマ等の輝度より低く設定することとする。
【００４５】
尚、説明の便宜上、以下、上述したフレームレートテーブル３０と輝度レベルテーブル４０の両テーブルを表示情報テーブルと呼ぶこととする。
図２(ｄ)は、音量情報テーブル５０の構成及び内容例を示している。
音量情報テーブル５０は、種類５１と音量レベル５２とを対応付けて記憶しており、種類５１は上述の実施例と同様に放送番組の種類を示し、音量レベル５２はスピーカ５００へ出力する音声の音量レベルを示している。
【００４６】
尚、本実施例では、最も音量が大きいレベル５から最も音量が小さいレベル１まで設定することができるものとする。
図２(ｅ)は、携帯電話機１０の設定情報を示す設定情報テーブル６０の構成及び内容例を示している。
設定情報テーブル６０は、フレームレート６１、輝度レベル６２、及び音量レベル６３を対応付けて記憶している。
【００４７】
フレームレート６１は、現在設定されているフレームレートの値を示し、輝度レベル６２は、現在設定されているバックライトの輝度レベルを示し、音量レベル６３は、現在設定されているスピーカ５００の音量レベルを示している。
これらの各値は、フレームレート、輝度レベル、音量レベル共に最大値が設定されているものとし、各設定値は、ユーザ操作により変更される場合と、電池残量が閾値以下になった時に表示制御部２１００と音声出力制御部２４０により変更される場合がある。
＜動作例＞
図６は、本実施例における動作フロー図を示しており、以下、同図に基づき動作例を説明する。
【００４８】
尚、本実施例では、図２(ｅ)の設定情報テーブル６０の各値が設定されているものとし、ユーザ操作により、携帯電話機１０は天気予報の番組を受信し、電池残量が閾値以下となった時に、設定情報テーブルの各値を変更するものとし、実施例１及び実施例２と異なる処理について説明する。
ステップＳ３３において電池残量判定部２３０は電池残量が閾値以下であると判定し、ステップＳ３４において省電力モードがＯＮであると判断した場合(ステップＳ３３:Ｙ、ステップＳ３４:Ｙ)、電池残量判定部２３０は、種類判定部２２０及び音声出力制御部２４０へその旨の情報を送出する。
【００４９】
ステップＳ３５において、種類判定部２２０は番組の種類が天気予報であると判別し、その情報を表示制御部２１００及び音声出力制御部２４０へ送出する。
ステップＳ３６において、表示制御部２１００はメモリから表示情報テーブルを読出し、音声出力制御部２４０はメモリから音量情報テーブル５０を読み出す。
ステップＳ３７において、フレームレート変換部２１１、輝度レベル変更部２１２は表示情報テーブルに基づき、また音声出力制御部２４０は音量情報テーブル５０に基づき、設定情報テーブル６０の各値が、天気予報に対応する値と同じでないと判断する(ステップＳ３７:Ｙ)。
【００５０】
ステップＳ３８において、フレームレート変換部２１１は、フレームレートを１５ｆｐｓに変更し、輝度レベル変更部２１２は、輝度レベルを２に変更する。
また、音声出力制御部２４０は、放送受信部１００から送出された音声データをＤ／Ａ変換し、音量レベルを１に変更する。
＜補足＞
以上、本発明に係る携帯情報端末について実施例１、実施例２に基づいて説明したが、以下のように変形することもでき、本発明は上述の実施例で示した携帯電話機に限られないことは勿論である。
（１）上述の実施例１、実施例２、及び実施例３では、携帯電話機１０がデジタル放送を受信し、受信した放送番組の種類(ジャンル)に応じてフレームレート、輝度レベル、音量レベルの変更処理を行なうこととして説明したが、放送番組がＣＭか否かに応じてこれらの各処理を行なうこととしてもよい。
【００５１】
例えば、携帯電話機１０がアナログ放送の番組を受信する場合について説明する。
この場合、種類判別部２２０は、ユーザが選局した放送局から受信した音声信号がステレオ信号かモノラル信号かを判別し、ステレオ信号の区間をＣＭ区間として判断する。また、動画像に対応する音声がステレオかモノラルかを示す信号をフレームレート変換部２１１に送出する。
【００５２】
また、ステレオ信号とモノラル信号別のフレームレート、輝度レベル、及び音量レベルを示すテーブルをメモリ等に記憶しておく。
フレームレート変換部２１１、輝度レベル変更部２１２及び音声出力制御部２４０は、種類判別部２２０から音声種別を示す信号を受取ると、上記テーブルを読み出し、当該信号に係る音声種別のフレームレート、輝度レベル及び音量レベルを特定し、メモリ内のフレームレート、輝度レベル及び音量レベルの値を変更する。
【００５３】
尚、デジタル放送データで構成される動画コンテンツがＣＭであるか否かを判別する場合、ＥＰＧデータのＥＩＴ（Event Information Table）に含まれるコンポーネント記述子で示される音声情報が、ステレオであるか否かを判断してもよい。
（２）また、上述の実施例１及び実施例２では、携帯電話機を用いて説明したが、テレビ放送を受信可能なＰＤＡ(Personal Digital Assistance) 等の携帯情報端末であってもよい。
（３）上述の実施例では、フレームレートを３０fps及び１５fpsの２段階で表し、輝度及び音量のレベルを５段階で表すものとして説明したが、フレームレート、輝度及び音量が各々複数設定できるものであればこれに限らない。
（４）携帯電話機におけるフレームレート変更処理をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ等がある。流通、頒布されたプログラムはプロセッサに読み出され得るメモリ等に格納されることにより利用に供され、そのプロセッサがそのプログラムを実行することにより実施例で示した携帯電話機の機能が実現されるようになる。
（５）上記実施例１及び実施例２では、ＥＰＧデータにより番組の種類を判別しているが、映画やドラマ等の画像品質を重視する番組であることを示す情報が放送データに付加されている場合、当該情報が付されていない番組の画像についてはフレームレートを下げて表示することとしてもよい。
（６）また、上述の実施例３では、電池残量が閾値以下になった時に、現在の設定値を、放送番組のジャンル毎に予め設定されたフレームレート、輝度レベル、音量レベルに変更するものとして説明したが、輝度レベル及び音量レベルの設定値を変更する際、例えば、輝度レベルを５から３へ変更する場合は、輝度レベルを５→４→３の順に段階的に変更することとしてもよい。このように段階的に変更することにより、バックライトの輝度が突然暗くなったり、音量が突然小さくなったりする等の違和感をユーザに生じさせることなく番組の再生を行うことができる。
（７）上述の実施例１及び２では、番組ジャンルに応じてフレームレート変更処理を行うこととして説明し、実施例３では、フレームレート、輝度レベル、音量レベルの全設定値を変更することとして説明したが、フレームレート、輝度レベル及び音量レベルのいずれか一つを選択して変更してもよいし、２つを選択して変更することとしてもよい。
（８）また、実施例３では、電池残量がある閾値以下になった時にフレームレート、輝度レベル、音量レベルの全設定値を変更することとして説明したが、例えば、電池残量の閾値を複数設定し、閾値に応じて輝度レベル、フレームレート、音量レベルの各設定値を順に変更することとしてもよい。
【産業上の利用可能性】
【００５４】
本発明に係る携帯情報端末は、動画コンテンツを再生可能な携帯電話機等の携帯情報端末に利用され得る。
【図面の簡単な説明】
【００５５】
【図１】(ａ)は、実施例１の本発明に係る携帯電話機１０の機能構成図である。(ｂ)は、実施例２の本発明に係る携帯電話機１０の機能構成図である。
【図２】(ａ)は、本発明に係る携帯電話機１０の機能設定テーブルの構成及び内容例を示す図である。(ｂ)は、実施例１及び実施例２の本発明に係る携帯電話機１０のフレームレートテーブルの構成及び内容例を示す図である。(ｃ)は、実施例３の本発明に係る携帯電話機１０の輝度レベルテーブルの構成及び内容例を示す図である。(ｄ)は、実施例３の本発明に係る携帯電話機１０の音量レベルテーブルの構成及び内容例を示す図である。(ｅ)は、実施例３における携帯電話機１０の現在の設定情報の例を示す図である。
【図３】実施例１に係る携帯電話機１０のフレームレート変更処理の動作フローを示す図である。
【図４】実施例２に係る携帯電話機１０のフレームレート変更処理の動作フローを示す図である。
【図５】実施例３に係る携帯電話機１０の機能構成図である。
【図６】実施例３に係る携帯電話機１０の設定情報を変更する処理の動作フローを示す図である。
【図７】本発明に係る携帯電話機の外観を示す図である。
【符号の説明】
【００５６】
１０    携帯電話機
１１    ディスプレイ
１２    操作ボタン部
１００  放送受信部
１１０  アンテナ
２００、２０１  制御部
２１０、２１００  表示制御部
２１１  フレームレート変換部
２１２  輝度レベル変更部
２２０  種類判別部
２３０  電池残量判定部
２４０  音声出力制御部
３００  表示部
３１０  バックライト
４００  操作部
５００  スピーカ
【図１】
2006287898.tif 000003
【図２】
2006287898.tif 000004
【図３】
2006287898.tif 000005
【図４】
2006287898.tif 000006
【図５】
2006287898.tif 000007
【図６】
2006287898.tif 000008
【図７】
2006287898.tif 000009